(57)【要約】      （修正有）【課題】放射性医薬品に係る製品の受注または発注を効率的に行うコンピュータプログラム、装置及び方法を提供する。【解決手段】放射性医薬品に係る製品の受発注画面４００は、配送先である施設の指定を受け付ける条件入力部４１０と、製品数量の表示する製品数量表示部４２０と、を有する。製品数量表示部４２０は、第１の生産ロットで生産される第１の製品の出荷可能時刻と、製品の製造場所から指定された施設までの所要時間とから定まる第１の時刻以降の検定時刻について、第１の製品の受注または発注が可能な数量を表示する領域４２１及び第２の生産ロットの第２の製品の出荷可能時刻と、所要時間とから定まる第２の時刻以降の検定時刻について、第２の製品の受注または発注が可能な数量を表示する領域４２２、を有する。【選択図】図５
2018120391.tif 000002
【特許請求の範囲】
【請求項１】
放射性医薬品に係る製品の受注または発注を管理するコンピュータに実行させるためのコンピュータプログラムであって、
前記コンピュータに、
第１の生産ロットで生産される放射性医薬品に係る第１の製品であって、少なくとも放射能量及び検定時刻で特定される放射能量別の第１の製品の表示領域を有する受注または発注を受け付ける画面を表示させる処理と、
前記表示領域の表示に基づいて指定された検定時刻及び放射能量に基づく受注または発注に係る処理と、を実行させ、
前記表示領域は、
前記第１の生産ロットの確定済み受発注情報に基づいて前記第１の製品の受注または発注が可能か否かを示す情報を表示する領域、を有するコンピュータプログラム。
【請求項２】
前記表示領域に表示される前記受注または発注が可能であるか否かを示す情報は、前記第１の製品の出荷可能時刻と、前記放射性医薬品に係る製品の製造場所から前記放射性医薬品を使用する施設までの所要時間とから定まる第１の時刻以降の検定時刻に対応して表示される、請求項１記載のコンピュータプログラム。
【請求項３】
前記表示領域に表示される前記受注または発注が可能であるか否かを示す情報は、放射能量別及び検定時刻別に表示される、請求項１記載のコンピュータプログラム。
【請求項４】
前記表示領域に表示される前記受注または発注が可能であるか否かを示す情報は、受注または発注が可能な製品数量である請求項１〜３のいずれか一項に記載のコンピュータプログラム。
【請求項５】
前記表示領域に表示される前記受注または発注が可能であるか否かを示す情報は、前記第１の製品の液量である請求項１〜３のいずれか一項に記載のコンピュータプログラム。
【請求項６】
前記表示領域は、さらに、
前記第１の生産ロットより後の時刻に生産される第２の生産ロットの放射性医薬品に係る第２の製品の出荷可能時刻と、前記所要時間とから定まる第２の時刻以降の検定時刻について、前記第２の製品の受注または発注が可能か否かを表示する領域を有する
請求項１記載のコンピュータプログラム。
【請求項７】
前記表示領域において、前記第１の製品と前記第２の製品が識別可能に表示される、
請求項６記載のコンピュータプログラム。
【請求項８】
前記製品数量の表示領域において、
前記第１の製品、及び前記第２の製品のいずれも受注または発注が可能である検定時刻及び放射能量については、前記第１の製品の受注または発注が可能か否かを示す情報が表示される、請求項６記載のコンピュータプログラム。
【請求項９】
前記表示領域において、
前記第１の製品、及び前記第２の製品のいずれも受注または発注が可能である検定時刻及び放射能量については、前記第２の製品の受注または発注が可能か否かを示す情報が表示される、請求項６記載のコンピュータプログラム。
【請求項１０】
前記表示領域において、
前記第１の製品、及び前記第２の製品のいずれも受注または発注が可能である検定時刻及び放射能量については、前記第１の製品の受注または発注が可能な数量と、前記第２の製品の受注または発注が可能な数量との和が表示される、請求項６記載のコンピュータプログラム。
【請求項１１】
前記第１の製品は、前記第１の生産ロットの生産時刻に基づいて定まる第１の有効期限を有し、
前記第２の製品は、前記第２の生産ロットの生産時刻に基づいて定まる第２の有効期限を有し、
前記表示領域において、
前記第１の製品の受注または発注が可能か否かを示す情報は、前記第１の有効期限以前の検定時刻について表示され、
前記第２の製品の受注または発注が可能か否かを示す情報は、前記第２の有効期限以前の検定時刻について表示される、請求項６〜１０のいずれか一項に記載のコンピュータプログラム。
【請求項１２】
前記コンピュータに、
確定した受注または発注に係る情報を出力する処理を、さらに実行させる、請求項１〜１１のいずれか一項に記載のコンピュータプログラム。
【請求項１３】
放射性医薬品に係る製品の受注または発注をする管理装置であって、
第１の生産ロットで生産される放射性医薬品に係る第１の製品であって、少なくとも放射能量及び検定時刻で特定される放射能量別の第１の製品の表示領域を有する受注または発注を受け付ける画面を表示させる手段と、
前記表示領域の表示に基づいて指定された検定時刻及び放射能量に基づく受注または発注に係る処理を行う手段と、を備え、
前記表示領域は、
前記第１の生産ロットの確定済み受発注情報に基づいて前記第１の製品の受注または発注が可能か否かを示す情報を表示する領域を有する、放射性医薬品の管理装置。
【請求項１４】
放射性医薬品に係る製品の受注または発注を管理するコンピュータが実行する方法であって、
第１の生産ロットで生産される放射性医薬品に係る第１の製品であって、少なくとも放射能量及び検定時刻で特定される放射能量別の第１の製品の表示領域を有する受注または発注を受け付ける画面を表示させる処理と、
前記表示領域の表示に基づいて指定された検定時刻及び放射能量に基づく受注または発注に係る処理と、を実行し、
前記表示領域は、
前記第１の生産ロットの確定済み受発注情報に基づいて前記第１の製品の受注または発注が可能か否かを示す情報を表示する領域を有する、方法。
【発明の詳細な説明】
【技術分野】
【０００１】
本発明は、放射性医薬品に係る製品の受注または発注を管理する技術に関する。
【背景技術】
【０００２】
ＰＥＴ（ポジトロン・エミッション・トモグラフィー；陽電子放出核種を利用した画像再構成装置）検査の利用拡大に伴い、ＰＥＴ製剤の需要が増加している。ＰＥＴ製剤の中には、半減期が非常に短いものもあり、この製剤については、製造後速やかに検査を実施する検査施設に配達しなければならない。
【０００３】
例えば、特許文献１には、放射性医薬品をバルクで生産し、バルク溶液を分注した製品を効率的に複数の施設へ配送するスケジュールを立てる技術が記載されている。
【先行技術文献】
【特許文献】
【０００４】
【特許文献１】特開２０１３−２１１００７号公報
【発明の概要】
【発明が解決しようとする課題】
【０００５】
ところで、ＰＥＴ製剤のような放射性医薬品は、時間の経過とともに放射能量が減少する。従って、製品として検定時刻と放射能量とが定まることで初めて、バルク溶液から分注すべき液量が定まる。そのため、既に受注済みの各製品の検定時刻、放射能量及び数量に応じて、さらに受注可能である検定時刻別放射能量別の製品数量が変動する。
【０００６】
そこで、本発明の目的は、放射性医薬品に係る製品の受注または発注を効率的に行うことである。
【課題を解決するための手段】
【０００７】
本発明の一つの実施態様に従う放射性医薬品に係る製品の受注または発注を管理するコンピュータに実行させるためのコンピュータプログラムは、前記コンピュータに、第１の生産ロットで生産される放射性医薬品に係る第１の製品であって、少なくとも放射能量及び検定時刻で特定される放射能量別の第１の製品の表示領域を有する受注または発注を受け付ける画面を表示させる処理と、前記表示領域の表示に基づいて指定された検定時刻及び放射能量に基づく受注または発注に係る処理と、を実行させる。前記表示領域は、前記第１の生産ロットの確定済み受発注情報に基づいて前記第１の製品の受注または発注が可能か否かを示す情報を表示する領域、を有する。
【０００８】
好適な実施態様では、前記表示領域に表示される前記受注または発注が可能であるか否かを示す情報は、前記第１の製品の出荷可能時刻と、前記放射性医薬品に係る製品の製造場所から前記放射性医薬品を使用する施設までの所要時間とから定まる第１の時刻以降の検定時刻に対応して表示されるようにしてもよい。
【０００９】
好適な実施態様では、前記表示領域に表示される前記受注または発注が可能であるか否かを示す情報は、放射能量別及び検定時刻別に表示されてもよい。
【００１０】
好適な実施態様では、前記表示領域に表示される前記受注または発注が可能であるか否かを示す情報は、受注または発注が可能な製品数量であってもよい。
【００１１】
好適な実施態様では、前記表示領域に表示される前記受注または発注が可能であるか否かを示す情報は、前記第１の製品の液量でよい。
【００１２】
好適な実施態様では、前記表示領域は、さらに、前記第１の生産ロットより後の時刻に生産される第２の生産ロットの放射性医薬品に係る第２の製品の出荷可能時刻と、前記所要時間とから定まる第２の時刻以降の検定時刻について、前記第２の製品の受注または発注が可能か否かを表示する領域を有してもよい。
【００１３】
好適な実施態様では、前記表示領域において、前記第１の製品と前記第２の製品が識別可能に表示されるようにしてもよい。
【００１４】
好適な実施態様では、前記製品数量の表示領域において、前記第１の製品、及び前記第２の製品のいずれも受注または発注が可能である検定時刻及び放射能量については、前記第１の製品の受注または発注が可能か否かを示す情報が表示されるようにしてもよい。
【００１５】
好適な実施態様では、前記表示領域において、前記第１の製品、及び前記第２の製品のいずれも受注または発注が可能である検定時刻及び放射能量については、前記第２の製品の受注または発注が可能か否かを示す情報が表示されるようにしてもよい。
【００１６】
好適な実施態様では、前記表示領域において、前記第１の製品、及び前記第２の製品のいずれも受注または発注が可能である検定時刻及び放射能量については、前記第１の製品の受注または発注が可能な数量と、前記第２の製品の受注または発注が可能な数量との和が表示されるようにしてもよい。
【００１７】
好適な実施態様では、前記第１の製品は、前記第１の生産ロットの生産時刻に基づいて定まる第１の有効期限を有し、前記第２の製品は、前記第２の生産ロットの生産時刻に基づいて定まる第２の有効期限を有する。そして、前記表示領域において、前記第１の製品の受注または発注が可能か否かを示す情報は、前記第１の有効期限以前の検定時刻について表示され、前記第２の製品の受注または発注が可能か否かを示す情報は、前記第２の有効期限以前の検定時刻について表示されるようにしてもよい。
【００１８】
好適な実施態様では、前記コンピュータに、確定した受注または発注に係る情報を出力する処理を、さらに実行させてもよい。
【図面の簡単な説明】
【００１９】
【図１】本発明の一実施形態に係る放射性医薬品の管理システムである。
【図２】施設テーブル１２１及び生産スケジュールテーブル１２３の一例を示す。
【図３】製品テーブル１２５及び受注テーブル１２７の一例を示す。
【図４】製品テーブル生成部１１の処理手順を示すフローチャートである。
【図５】受発注画面４００の一例を示す。
【図６】受発注画面４００の一例を示す。
【図７】画面生成部１３の処理手順を示すフローチャートである。
【図８】受注処理部１５の処理手順を示すフローチャートである。
【発明を実施するための形態】
【００２０】
以下、本発明の一実施形態に係る放射性医薬品の受注または発注を管理する放射性医薬品の受発注システムについて、図面を参照して説明する。
【００２１】
図１は、本実施形態にかかる放射性医薬品の管理システムの全体構成を示す。
【００２２】
本システムは、放射性医薬品管理装置（以下、単に管理装置と称する）１と、一以上の施設端末７とがネットワーク９を介して接続されている。
【００２３】
管理装置１は、例えば、放射性医薬品の製造を行う製薬会社に配置されていても良い。施設端末７は、例えば、放射性医薬品に係る製品を患者に投与する医療機関等の施設に配置されていても良い。施設が放射性医薬品に係る製品を製薬会社に対して発注し、製薬会社はそれを受注する。管理装置１は、この製品の受発注に係る処理を行う。施設からの発注を受注すると、製薬会社は受注した放射性医薬品に係る製品を製造し、製造場所（製造工場）から施設まで所定の輸送手段で配送する。
【００２４】
なお、この明細書においては、受注は製薬会社から見たときの表現で、発注は施設から見たときの表現であり、両者は実質的に同じ行為である。従って、本願明細書では、管理装置１における受注、発注及び受発注に相当する処理は共通する。
【００２５】
管理装置１は、管理装置本体１０と、キーボードまたはポインティングデバイスなどの入力装置２と、液晶ディスプレイなどの表示装置３とを有する。入力装置２と表示装置３とが一体となったタッチパネル型のディスプレイでも良い。
【００２６】
施設端末７は、通信機能を有する端末装置であればよく、例えば、携帯電話機、携帯情報端末、あるいは汎用的なパーソナルコンピュータなどでもよい。施設端末７は、液晶パネルなどの表示装置、及びキーボードあるいはポインティングデバイスなどの入力装置を有する。
【００２７】
管理装置本体１０は、例えば、プロセッサ及びメモリを備えた汎用的なコンピュータシステムにより構成され、以下に説明する管理装置本体１０内の個々の構成要素または機能は、例えば、コンピュータプログラムを実行することにより実現される。
【００２８】
管理装置本体１０は、製品テーブル生成部１１と、画面生成部１３と、受注処理部１５と、データ記憶部１２０とを有する。
【００２９】
データ記憶部１２０は、施設テーブル１２１と、生産スケジュールテーブル１２３と、製品テーブル１２５と、受注テーブル１２７とを有する。
【００３０】
施設テーブル１２１は、製品を発注する施設に関する情報を有する。
【００３１】
図２Ａは施設テーブル１２１のデータ構造の一例を示す。すなわち、施設テーブル１２１は、データ項目として、施設名１２１１と、施設の住所１２１２と、所要時間１２１３と、輸送手段１２１５とを有する。
【００３２】
施設名１２１１は施設の名称であり、各施設名１２１１はユニークである。
【００３３】
所要時間１２１３は、放射性医薬品の製造場所からその医薬品を使用する各施設までに要する時間である。例えば、所要時間１２１３には、車両、航空機などの所定の移動手段を用いたときに要する時間及び施設内で医薬品が使用可能な状態になるまでに要する時間を含んでもよい。所要時間１２１３は、車両輸送の場合は渋滞等による遅れ、及び航空輸送の場合はダイヤ乱れや手続に要する時間などを考慮して定めても良い。さらには、季節及び時間帯などによる道路事情の相違あるいは航空機への搭載手続きに要する時間の相違などを考慮して所要時間１２１３を定めてもよい。
【００３４】
輸送手段１２１５は、製品を配送する場合の手段であり、例えば、車両による輸送と航空機による輸送とがある。航空機による輸送を必要とする施設においては、航空機ごとに積載可能な放射能量を示す最大輸送指数が定められているので、その最大輸送指数に基づく受注制限を設けても良い。
【００３５】
生産スケジュールテーブル１２３は、医薬品を製造するスケジュールに関する情報を有する。
【００３６】
ここで、本実施形態の放射性医薬品は液体である。本実施形態では、放射性医薬品がバルク溶液として生産され、そのバルク溶液から所定量の溶液がバイアル壜に分注されて個別の製品が製造される。バルク溶液の生産は１日に複数回行われても良い。本実施形態では、第１回生産ロットから第３回生産ロットまで、バルク溶液の生産が３回行われる。
【００３７】
図２Ｂは、生産スケジュールテーブル１２３のデータ構造の一例を示す。すなわち、生産スケジュールテーブル１２３は、生産される年月日１２３１と、ロットＮｏ．１２３２と、品目１２３３と、生産量１２３４と、濃度１２３５と、生産時刻１２３６と、出荷可能時刻１２３７と、残量１２３８と、有効期限１２３９を有する。
【００３８】
品目１２３３は、医薬品の種別を示し、放射性核種の種類を含めてもよい。
【００３９】
生産量１２３４は、各ロットで生産されるバルク溶液の容量である。生産ロットによりバルク溶液の生産量１２３４を変えてもよい。例えば、生産時刻１２３６が早い生産ロットの生産量１２３４は遅い生産ロットよりも大容量でよいし、あるいは、生産時刻１２３６が遅い生産ロットの生産量１２３４は早い生産ロットよりも大容量でよい。これにより、需要見込みに応じて生産量を調整できる。
【００４０】
濃度１２３５は、各生産ロットのバルク溶液の生産時放射能濃度である。生産ロットによりバルク溶液の濃度１２３５を変えてもよい。例えば、生産時刻１２３６が早い生産ロットが遅い生産ロットよりも高濃度でよいし、あるいは、生産時刻１２３６が遅い生産ロットが早い生産ロットよりも高濃度でよい。これにより、例えば、ある生産ロットは濃度１２３５を薄くして近郊の施設に好適としても良いし、別の生産ロットは濃度１２３５を濃くして主に遠方の施設に好適としても良い。
【００４１】
生産時刻１２３６は、各ロットのバルク溶液が生産される時刻である。
【００４２】
出荷可能時刻１２３７は、各ロットのバルク溶液から分注及び梱包等を行って、個別の製品が出荷可能となる時刻である。
【００４３】
残量１２３８は、各ロットのバルク溶液のうち、既に受注した製品で使用する液量等を差し引いた製品として使用可能な溶液の残量である。受注処理部１５が製品を受注するごとに、受注した製品の検定時刻及び放射能量に基づいてこの製品に必要な液量を算出し、その液量が残量１２３８から減算されるようにしても良い。また、残量１２３８は、所定のロス分の液量が生産量１２３４から予め減算されていても良い。
【００４４】
なお、残量１２３８から受注した製品に必要な液量を減算する際、理論的に必要とされる液量にわずかな過量を加えてもよい。これは、以下の理由による。すなわち、バイアル壜は医薬品を安定して封入するのに適しているが、注射器等で内容液を取り出す場合に容器内面に医薬品が付着するため全量を取り出すことができないからである。なお、この過量は一定でなくてもよく、理論的に必要とされる液量によって段階的に設定されてもよい。
【００４５】
有効期限１２３９は、各生産ロットの溶液の有効期限である。有効期限１２３９は、生産時刻１２３６に基づいて定まっても良い。各ロットから製造される製品がカバーし得る検定時刻の範囲が、出荷可能時刻１２３７から有効期限１２３９までである。
【００４６】
製品テーブル１２５は、製品として受注または発注が可能な製品の数量を有する。
【００４７】
放射性医薬品に係る製品は、品目、検定時刻、及び放射能量により製品仕様が特定される。従って、放射性医薬品に係る製品を使用する施設では、品目、検定時刻、及び放射能量並びに数量を特定して発注を行うこととなる。また、放射性医薬品の放射能量は時々刻々減少していくので、検定時刻において所望の放射能量を有する製品は、放射性核種の半減期に基づいて算出された容量をバルク溶液から分注して製造される。同一生産ロットからの分注液量は、放射能量と検定時刻によって異なり、同じ検定時刻であれば放射能量に応じて多くなる。さらに、同じ放射能量であれば検定時刻が遅い方がより多くの分注液量を要する。
【００４８】
そのため、各生産ロットについて、生産スケジュールテーブル１２３の残量１２３８から検定時刻別放射能量別に製品の数量を求めることができる。製品テーブル１２５には、生産ロットごとの、検定時刻別放射能量別に受発注可能な製品数量が記憶される。
【００４９】
図３Ａは、製品テーブル１２５のデータ構造の一例を示す。すなわち、製品テーブル１２５は、生産される年月日１２５１と、ロットＮｏ１２５２と、品目１２５３と、検定時刻１２５４と、放射能量１２５５と、数量１２５６とを有する。
【００５０】
受注テーブル１２７は、各施設からの製品の受注状況を有する。
【００５１】
図３Ｂは、受注テーブル１２７のデータ構造の一例を示す。すなわち、受注テーブル１２７は、年月日１２７１と、施設名１２７２と、品目１２７３と、検定時刻１２７４と、放射能量１２７５と、数量１２７６とを有する。
【００５２】
製品テーブル生成部１１は、放射性医薬品の生産スケジュールに基づいて、受発注可能な放射性医薬品に係る製品の数量を算出する。例えば、製品テーブル生成部１１は、生産スケジュールテーブル１２３を参照して、製品テーブル１２５を生成する。
【００５３】
図４は、製品テーブル生成部１１の処理手順を示すフローチャートである。
【００５４】
製品テーブル生成部１１は、製造年月日が指定されると、データ記憶部１２０に記憶されている生産スケジュールテーブル１２３からその日の生産スケジュールのデータを読み込む（Ｓ１０１）。
【００５５】
次に、製品テーブル生成部１１は、処理対象とする生産ロットを選択する（Ｓ１０３）。
【００５６】
製品テーブル生成部１１は、選択された生産ロットの生産スケジュールデータに基づいて、受発注可能な製品の数量を算出する（Ｓ１０５）。
【００５７】
例えば、製品として用意される検定時刻は複数あり、各検定時刻における放射能量も複数あり、それらはいずれも予め定められていてもよい。このとき、製品テーブル生成部１１は、予め定められた検定時刻別放射能量別に、放射能量の減衰を考慮した上で、濃度１２３５及び残量１２３８から製造可能な製品数を算出する。このとき、各製品に必要な液量は、例えば、放射性医薬品の核種によって定まる放射能量の時間減衰特性に基づいて算出されても良い。また、有効期限１２３９以降の検定時刻については、数量の算出は行わなくて良い。算出された検定時刻別放射能量別の製品数量は製品テーブル１２５に保存される。ここで、分注される液量の上限値及び下限値は予め定められていてもよい。例えば、バイアル壜のサイズが予め決まっていれば、これに応じて分注される液量の範囲も定まる。これにより、各生産ロットから製造可能な検定時刻及び放射能量の範囲が定まる。
【００５８】
製品テーブル生成部１１は、全生産ロットについて受発注可能な数量の算出が終わるまで、ステップＳ１０３及びＳ１０５の処理を繰り返す（Ｓ１０７）。
【００５９】
製品テーブル生成部１１は、任意のタイミングで上記の処理を行うようにしても良い。例えば、生産スケジュールテーブル１２３にある製造年月日の生産スケジュールが登録されたときに、製品テーブル生成部１１がこの処理を行っても良い。あるいは、受注処理部１５が受注処理を行い、生産スケジュールテーブル１２３の残量１２３８が更新されたときに、製品テーブル生成部１１がその受注日について上記処理を行っても良い。
【００６０】
画面生成部１３は、受発注画面を生成する。
【００６１】
図５及び図６は、受発注画面４００の一例を示す。
【００６２】
同図に示すように、受発注画面４００は、条件入力部４１０と、製品数量表示部４２０と、発注条件表示部４３０と、発注ボタン４４０とを有する。
【００６３】
受発注画面４００は、管理装置本体１０に接続された表示装置３に表示されても良いし、施設端末７の表示装置に表示されても良い。表示装置３に表示されるときは、施設から電話、ファクシミリ等で発注を受けて、製薬会社のスタッフが受発注画面４００に対する入力を行う。施設端末７に表示されるときは、施設のスタッフが受発注画面４００に対する入力を行う。
【００６４】
条件入力部４１０は、施設４１１、品目４１２、及び検定日４１３の各入力領域を有する。施設４１１、品目４１２、及び検定日４１３は、オペレータによる入力を受け付ける。
【００６５】
施設４１１は、製品の配送先である施設の指定を受け付ける。例えば、施設４１１には医薬品を発注する施設名が入力される。施設４１１では、予め施設テーブル１２１に登録されている施設が選択されるようにしても良い。図５では、製品の製造場所からの所要時間が１８０分の施設Ｘが選択されている。図６では、同じく所要時間が３００分の施設Ｙが指定されている。
【００６６】
なお、別の手段で施設を指定する場合は、施設４１１は省略可能である。例えば、施設端末７に受発注画面４００を表示する場合は、発注する施設はその端末７が設置されている施設である。施設の特定は、例えば、端末固有のＭＡＣアドレスまたはＩＰアドレス等を用いて行っても良いし、端末のＧＰＳを用いて取得した位置情報を用いて行ってもよい。従って、その場合は、受発注画面４００において施設４１１の表示は省略されてもよく、受注処理部１５が発注要求を送信した施設端末７が配置されている施設からの発注と判定してもよい。
【００６７】
製品数量表示部４２０は、各生産ロットで生産される製品の出荷可能時刻と、指定された施設までの所要時間とから定まる時刻以降の検定時刻について、製品の受注または発注が可能か否かを示す情報を表示する。この図の例では、製品の受注または発注が可能か否かを示す情報は製品数量であるが、これ以外にも、例えば、製品の液量（残量）であってもよい。
【００６８】
製品数量表示部４２０は、検定時刻と放射能量（単位はＭＢｑ）のマトリックスとなっている。放射線量はマトリックスの上段から下段へ向けて徐々に増加（例えば、Ａ（ＭＢｑ）＜Ｂ（ＭＢｑ））している。マトリックスの各交点に受発注可能な製品の数量が表示されている。空欄は受発注不可を示す。製品数量表示部４２０に表示される製品数量は、製品テーブル１２５に保存されている数値でよい。つまり、製品テーブル１２５の数量１２５６が対応する検定時刻及び放射線量のエリアにコピーされる。
【００６９】
製品数量表示部４２０には、第１回生産ロットから製造可能な製品数量の表示領域４２１と、第２回生産ロットから製造可能な製品数量の表示領域４２２と、第３回生産ロットから製造可能な製品数量の表示領域４２３とが含まれる。製品数量表示部４２０の表示は、画面を操作するオペレータが生産ロットの違いを識別可能であっても良いし、そうでなくてもよい。
【００７０】
ところで、本実施形態では、製品の製造場所から製品を使用する各施設まで製品を配送する必要がある。従って、各施設で受発注が可能な検定時刻は、それぞれの施設までの配送に要する時間を考慮する必要がある。つまり、各施設で受発注が可能な最も早い検定時刻は、生産ロットごとに、各生産ロットの出荷可能時刻と製造場所からの所要時間により定まる。そして、受発注画面４００は、生産ロットごとに、受発注が可能な最も早い検定時刻以降についてのみ受発注を受け付ける。
【００７１】
例えば、２回目生産ロットの出荷可能時刻が午前7時３０分であるとき、施設Ｘまでの所要時間は１２０分、施設Ｙまでは２４０分であるので、図５に示す施設Ｘについては最も早い検定時刻が９：３０、図６に示す施設Ｙについては最も早い検定時刻が１１：３０となっている。
【００７２】
また、最も遅い検定時刻は、各生産ロットの有効期限により定まる。すなわち、受発注画面４００は、有効期限より前の検定時刻についてのみ受発注を受け付ける。従って、製品数量表示部４２０では、各生産ロットの有効期限より前の検定時刻について数量が表示され、有効期限を過ぎた検定時刻については表示されない。１回目の生産ロットの有効期限が午前１１時５０分であるとき、図５に示す施設Ｘ及び図６に示す施設Ｙのいずれにおいても、最も遅い検定時刻は午前１１時３０分である。
【００７３】
また、各生産ロットのエリアが右肩上がりになっているのは、分注液量の上限値及び下限値が定められているからである。つまり、分注量の下限値の液量を有する製品は、時間経過とともに放射線量が減るので、それにより上側の斜めラインが規定される。例えば、図５の第３回生産ロットのエリアが１３：００、１３：３０、１４：００、１４：３０の最小放射能量が減少している。同じく、分注量の上限値の液量を有する製品も、時間経過とともに放射能量が減るので、それにより下側の斜めラインが規定される。例えば、図５の第３回生産ロットのエリアが１４：００〜１６：００までの最大放射能量が減少している。
【００７４】
また、本実施形態では１日に複数回生産を行うので、同じ製造年月日のある検定時刻及び放射能量の製品について、第１の生産ロットに係る製品と、第１の生産ロットよりも後に生産された第２の生産ロットに係る製品のいずれも受発注が可能である場合がある。画面生成部１３は、そのような複数の生産ロットから供給可能な重複する検定時刻及び放射能量については、所定のポリシーに従って製品数量表示部４２０に表示する数量を決定するようにしても良い。
【００７５】
例えば、生産時刻１２３６が遅い第２の生産ロットの製品数を優先させて表示させるポリシーが採用されても良い。この場合、そのような２つのロットから供給可能な重複する検定時刻及び放射能量については、製品数量表示部４２０に生産時刻１２３６が遅い生産ロットの製品数が表示される。これにより、生産時刻が遅い生産ロットに係る製品を優先させて受注できる。生産時刻１２３６が遅い生産ロットを用いた方が、同じ検定時刻及び放射能量の製品に必要な分注量が少なくて済むため、より多くの製品を確保できる。
【００７６】
また、施設によって異なるポリシーが採用されてもよい。例えば、輸送にかかる所要時間が所定以上である施設の場合、生産時刻が早い第１の生産ロットの製品数を優先させて表示させ、所要時間が所定より短い施設の場合、生産時刻が遅い第２の生産ロットの製品数を優先させて表示させてもよい。
【００７７】
一方で、生産時刻１２３６が早い第１の生産ロットの製品数を優先させて表示させるポリシーが採用されても良い。この場合、２つのロットから供給可能な重複する検定時刻及び放射能量については、製品数量表示部４２０に生産時刻１２３６が早い生産ロットの製品数が表示される。これにより、生産時刻が早い生産ロットに係る製品を優先させて受注できる。その結果、生産時刻が遅い生産ロットのバルク溶液が温存され、検定時刻間際の発注をより多く受け付けられる可能性が高くなる。
【００７８】
さらには、２つのロットから供給可能な重複する検定時刻及び放射能量について、製品数量表示部４２０では、第１の生産ロットに係る製品の受発注可能数量と第２の生産ロットに係る製品の受発注可能数量の和を表示するポリシーでも良い。これにより、重複する検定時刻及び放射能量について、受発注可能な最大の数量を提示できる。
【００７９】
製品数量表示部４２０のマトリックスにおいて、数字が表示されている検定時刻及び放射能量の製品については、その数字を超えない範囲で受注及び発注が可能である。そこで、以下に説明するように、オペレータは製品数量表示部４２０で検定時刻及び放射能量を選択し、数量入力エリア４３１で受発注可能な範囲の数値を指定して受注または発注するようにしてもよい。なお、検定時刻及び放射能量の指定は、これ以外の方法で行われても良い。
【００８０】
製品数量表示部４２０のマトリックスの各エリアは、オペレータによる選択が可能である。製品数量表示部４２０のいずれかのエリアが選択されると、選択されたエリアを囲む選択表示４２５が表示される。
【００８１】
発注条件表示部４３０には、選択表示４２５に対応する検定時刻及び放射能量が表示される。さらに、発注条件表示部４３０は、数量の入力を受け付けるエリア４３１を有する。選択表示４２５で選択された検定時刻及び放射能量と、数量の入力エリア４３１に入力された数量が受発注の条件となる。なお、発注数量をデフォルト設定（例えば「１」）とし、受発注画面４００から数量の入力エリア４３１を省略しても良い。
【００８２】
発注ボタン４４０が押されると、受発注画面４００はそのときの条件入力部４１０及び数量表示部４２０に示す受発注条件で受発注の要求を受け付ける。
【００８３】
図５の施設Ｘと図６の施設Ｙは、製品の製造場所からそれぞれへの所要時間１２１３が１２０分と２４０分である。従って、この違いによってそれぞれの施設から発注できる製品数量が変化する。
【００８４】
図７は、画面生成部１３の処理手順を示すフローチャートである。
【００８５】
画面生成部１３が、まず、受発注画面４００を表示させる。このとき条件入力部４１０、数量表示部４２０及び発注条件表示部４３０の表示は任意である。ここで、画面生成部１３は、条件入力部４１０において指定された施設、品目、検定日を受け付ける（Ｓ２０１）。
【００８６】
次に、画面生成部１３は、施設テーブル１２１から、ステップＳ２０１で指定された施設の所要時間１２１３を取得する（Ｓ２０３）。
【００８７】
そして、画面生成部１３は、生産スケジュールテーブル１２３から、品目１２３３及び検定日に対応する年月日１２３１に基づいて、各生産ロットの出荷可能時刻１２３７を取得する。そして、各生産ロットの製品が施設に到着可能な最も早い時刻を特定する（Ｓ２０５）。
【００８８】
さらに、画面生成部１３は、生産スケジュールテーブル１２３を参照して、各生産ロットの有効期限１２３９を特定する（Ｓ２０７）。
【００８９】
画面生成部１３は、製品テーブル１２５を参照して、生産ロット別に、最も早い到着時刻以降でかつ有効期限より前の検定時刻について、放射能量別の製品数量を特定して製品数量表示部４２０を生成する（Ｓ２０９）。このとき、２つの生産ロットから供給可能な重複する検定時刻及び放射能量については、所定のポリシーに従って処理をするようにしても良い。本実施形態では、生産時刻が後の生産ロットの表示を優先させるポリシーを採用している。
【００９０】
画面生成部１３は、上記の処理に従って生成された製品数量表示部４２０を有する受発注画面４００を表示装置に表示させる（Ｓ２１１）。
【００９１】
画面生成部１３は、条件入力部４１０において、施設、品目、検定日のいずれか一つ以上が更新されるごとに、上述の処理を実行するようにしても良い。
【００９２】
受発注画面４００において発注ボタン４４０が押下されると、受注処理部１５が受注処理を行う。受注処理部１５は、製品数量表示部４２０の表示に基づいて指定された検定時刻、放射能量及び数量に基づいて受注処理を行う。
【００９３】
図８は、受注処理部１５の処理手順を示すフローチャートである。
【００９４】
受注処理部１５は、受発注画面４００から受発注要求を受け付ける（Ｓ３０１）。この受発注要求には、例えば、受発注画面４００で指定された施設名、品目、検定日、検定時刻、放射能量及び発注数量を含む受発注情報が含まれていても良い。
【００９５】
受注処理部１５は、製品テーブル１２５を参照して、取得した受発注情報に基づいて受発注の可否を判定する（Ｓ３０３）。例えば、受注処理部１５は、受発注要求に係る品目、検定日、検定時刻及び放射能量の製品が要求された数量だけ確保できるか否かを判定する。
【００９６】
ステップＳ３０３で受注が可能であると判定された場合（Ｓ３０３：Ｙｅｓ）、受注処理部１５は製品テーブル１２５及び受注テーブル１２７を更新して、受注を完了する（Ｓ３０５）。例えば、受注処理部１５は、受注処理として、受発注情報に対応する製品テーブル１２５のレコードの数量１２５６を発注された数量だけ減らす。さらに、受注処理部１５は、受発注情報に対応する受注テーブル１２７のレコードの数量１２７６に発注された数量を加算する。
【００９７】
なお、このときに、発注した施設が航空機輸送が必要な施設であれば、受注済み製品の放射線量１２７５及び数量１２７６に基づいて、輸送に用いる航空機の最大輸送指数を超過していないか否かを判定し、超過する場合には受注不可としても良い。
【００９８】
受注処理部１５は、受注完了後、受注または発注に係る所定の受発注情報の出力を指示する（Ｓ３０７）。例えば、受注処理部１５からの指示に基づいて、管理装置１から生産設備を管理するシステムへ受発注に係る製品情報を含む生産指示情報を出力してもよいし、図示しないプリンタ等から受発注に係る製品情報を含む配送情報を送り状又は配送伝票などに印刷するようにしてもよい。
【００９９】
ステップＳ３０３で受発注が可能でないと判定された場合（Ｓ３０３：Ｎｏ）、処理を終了する。このとき、受注処理部１５は、オペレータに対して何らかのエラーメッセージを出力するようにしても良い。
【０１００】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【０１０１】
１０    管理装置本体
１１    製品テーブル生成部
１３    画面生成部
１５    受注処理部
１２０  データ記憶部
１２１  施設テーブル
１２３  生産スケジュールテーブル
１２５  製品テーブル
１２７  受注テーブル
４００  受発注画面
【図１】
2018120391.tif 000003
【図２】
2018120391.tif 000004
【図３】
2018120391.tif 000005
【図４】
2018120391.tif 000006
【図５】
2018120391.tif 000007
【図６】
2018120391.tif 000008
【図７】
2018120391.tif 000009
【図８】
2018120391.tif 000010